(57)【要約】      （修正有）【課題】履物用のソールならびにソールを設計し製造するシステムおよび方法の提供。【解決手段】本発明は、凸状要素１７０および／または凹状要素１６５を含む履物製品およびその一部と、それを設計し製造する関連システムおよび方法とに関する。履物製品例は、内側部、外側部、前足部領域、中足部領域およびかかと領域を有するミッドソールを含み、ミッドソールは側壁を含み、側壁は、側壁から延出する複数の凸状構造を有する第１壁部分と、側壁内に延在する複数の凹状構造を有する第２壁部分とを含む。【選択図】図１０Ｂ
2020124525.tif 000002
【特許請求の範囲】
【請求項１】
履物製品のアッパーの底部に取り付け可能なソール部材であって、
前記ソール部材は、内側部と外側部と前足部領域と中足部領域とかかと領域とを有する一枚のミッドソールを備え、
前記ミッドソールは、
前記履物製品の内部の方に面するように構成された上面と、
前記履物製品が地面と接触するときに地面の方に面するように構成された下面と、
前記ミッドソールの周縁部の周囲に延在する側壁と
を備え、
前記側壁は、
（ｉ）前記側壁から延出するモザイク状の複数の凸状要素の分布を備えた第１の壁部分であって、前記モザイク状の複数の凸状要素は、前記第１の壁部分を含む前記ミッドソールの領域においてさらなる耐圧縮性を提供する、第１の壁部分と、
（ｉｉ）前記側壁内に延在するモザイク状の複数の凹状要素の分布を備えた第２の壁部分であって、前記モザイク状の複数の凹状要素は、前記複数の凸状要素に類似する形状を有し、前記第２の壁部分を含む前記ミッドソールの領域において材料の体積を低減させる、第２の壁部分と
を備える、ソール部材。
【請求項２】
前記モザイク状の複数の凸状要素および前記モザイク状の複数の凹状要素の類似する形状は、
回転楕円体または多面体のうちの少なくとも一方の一部、または、
扁円または扁長または球形の回転楕円体のうちの少なくとも１つの一部、または、
三角形または正方形または矩形または五角形または六角形の多面体のうちの少なくとも１つの一部
を備える、請求項１に記載のソール部材。
【請求項３】
前記第１の壁部分は、前記前足部領域の少なくとも一部を含み、前記第２の壁部分は、前記かかと領域の少なくとも一部を含む、または、
前記第１の壁部分は、前記かかと領域の少なくとも一部を含み、前記第２の壁部分は、前記前足部領域の少なくとも一部を含む、または、
前記第１の壁部分は、前記内側部の少なくとも一部を含み、前記第２の壁部分は、前記外側部の少なくとも一部を含む、請求項１に記載のソール部材。
【請求項４】
前記第１の壁部分は、前記外側部の少なくとも一部を含み、前記第２の壁部分は、前記内側部の少なくとも一部を含む、請求項１に記載のソール部材。
【請求項５】
前記モザイク状の複数の凸状要素のサイズ、形状、向き、分布のうちの少なくとも１つが、前記第１の壁部分の少なくとも一部にわたって変化するか、または、前記モザイク状の複数の凹状要素のサイズ、形状、向き、分布のうちの少なくとも１つが、前記第２の壁部分の少なくとも一部にわたって変化する、請求項１に記載のソール部材。
【請求項６】
前記第２の壁部分を含む前記ミッドソールの前記領域は、前記第１の壁部分を含む前記ミッドソールの前記領域よりも低い剛性を有する、請求項１に記載のソール部材。
【請求項７】
前記モザイク状の複数の凸状要素および前記モザイク状の複数の凹状要素の位置、サイズ、形状、向き、分布のうちの少なくとも１つは、所定の運動活動に対するパフォーマンス基準に基づいて選択される、請求項１に記載のソール部材。
【請求項８】
前記モザイク状の複数の凸状要素および前記モザイク状の複数の凹状要素の位置、サイズ、形状、向き、分布のうちの少なくとも１つは、所定のアスリートまたはアスリートのグループに対するパフォーマンス基準に基づいて選択される、請求項１に記載のソール部材。
【請求項９】
前記ミッドソールの前記下面の少なくとも一部に取り付けられた接地アウトソールをさらに備え、前記接地アウトソールは、前記接地アウトソールから延在する複数のトラクション要素を備える、請求項１に記載のソール部材。
【請求項１０】
前記複数のトラクション要素のうちの少なくとも１つのサイズ、形状、向きまたは分布のうちの少なくとも１つは、所定の運動活動、所定のアスリートまたはアスリートの所定のグループのうちの少なくとも１つに対するパフォーマンス基準に基づいて選択される、請求項９に記載のソール部材。
【請求項１１】
履物製品のミッドソールの少なくとも一部を製造する方法であって、前記ミッドソールは、上面と下面と側壁とを有し、前記方法は、
使用者または運動活動のうちの少なくとも一方に関連する少なくとも１つの入力パラメータを決定するステップと、
前記少なくとも１つの入力パラメータを分析することにより、少なくとも１つのパフォーマンスメトリックを決定するステップと、
前記少なくとも１つのパフォーマンスメトリックに基づいて、前記側壁の１つ以上の構造的特徴を決定するステップであって、前記１つ以上の構造的特徴は、
（ｉ）前記側壁から延出するモザイク状の複数の凸状要素の分布を備えた第１の壁部分であって、前記第１の壁部分の少なくとも一部を含む前記ミッドソールの領域においてさらなる耐圧縮性を提供するための第１の壁部分と、
（ｉｉ）前記側壁内に延在するモザイク状の複数の凹状要素の分布を備えた第２の壁部分であって、前記モザイク状の複数の凹状要素は、前記モザイク状の複数の凸状要素に類似する形状を有し、かつ、前記第２の壁部分の少なくとも一部を含む前記ミッドソールの領域において材料の体積を低減させる、第２の壁部と
を含む、ステップと、
一体的な構成の前記１つ以上の構造的特徴を備えた前記側壁を有する前記ミッドソールを形成するステップと
を含む、方法。
【請求項１２】
前記少なくとも１つの構造的特徴は、前記複数の凸状要素および前記複数の凹状要素のサイズ、形状、向き、分布のうちの少なくとも１つを含む、請求項１１に記載の方法。
【請求項１３】
足を受け入れるように構成されたアッパーと、前記アッパーの底部に取り付け可能なソール部材とを備える履物製品であって、
前記ソール部材は、請求項１に記載のミッドソールを備え、
前記モザイク状の複数の凸状要素は、複数の凸状六角形の多面体要素であり、かつ、前記複数の凸状六角形の多面体要素のサイズ、形状、向き、分布のうちの少なくとも１つは、前記第１の壁部分の少なくとも一部にわたって変化し、前記モザイク状の複数の凹状要素は、複数の凹状六角形の多面体要素であり、前記複数の凹状六角形の多面体要素のサイズ、形状、向き、分布のうちの少なくとも１つは、前記第２の壁部分の少なくとも一部にわたって変化する、履物製品。
【請求項１４】
前記複数の凸状六角形要素および前記複数の凹状六角形要素は、前記第１壁の部分の少なくとも一部および前記第２の壁部分の少なくとも一部を含む前記ミッドソールの領域に対して異なる構造的特性を与える、請求項１３に記載の履物。
【請求項１５】
前記第１の壁部分は、前記内側部の少なくとも一部を含み、前記第２の壁部分は、前記外側部の少なくとも一部を含む、請求項１３に記載の履物。
【発明の詳細な説明】
【技術分野】
【０００１】
関連出願の相互参照
本出願は、２０１４年２月１２日に出願された米国仮特許出願第６１／９３８，９９９号明細書に対する優先権およびその出願の利益を主張し、その出願の開示内容は、全体として参照により本明細書に組み込まれる。
【０００２】
本発明は、概して履物の分野に関し、より詳細には、凸状要素および／または凹状要素を有する履物およびその一部と、そうした履物およびその一部を設計し製造する関連システムおよび方法とに関する。
【背景技術】
【０００３】
履物製品の性能および快適さの多くの態様は、履物の着用者のさまざまなパフォーマンスおよび身体的特徴によって決まる。たとえば、ストライド長（歩幅）、ピッチ（歩数頻度）、着地位置、回内／回外、走り方および走る速さは、着用する履物の要素によって影響を受ける可能性がある。さらに、身長、体重、靴のサイズ、足の形状、脚の形状およびサイズ等、アスリートの身体的特徴が、アスリートのパフォーマンスおよび着用する履物製品の性能に影響を与える可能性がある。
【発明の概要】
【発明が解決しようとする課題】
【０００４】
異なるアスリートおよび異なる運動活動に対して、パフォーマンスおよび身体的要件の組が異なることが多いが、複雑で、多くの場合高価な構造的要素、材料および／または他の特徴を組み込む必要なしに、所定のアスリートおよび／または運動活動の異なるパフォーマンス要件を最適に支援する履物を設計し製造することは困難であることが多い。
【課題を解決するための手段】
【０００５】
本発明は、履物およびその一部であって、履物に複雑な多部品構造および／または多材料構造を組み込む必要なしに、履物に対して最適化された性能特性を提供する、壁に組み込まれた凸状要素および／または凹状要素を有する履物およびその一部に関する。
【０００６】
本発明の一態様は、足を受け入れるように構成されたアッパーとアッパーの底部に取り付けられたソール部材とを有する履物製品用のソールまたはその一部に関する。ソール部材は、内側（ないそく）部(medial side)、外側（がいそく）部(lateral side)、前足部領域(forefoot region)、中足部領域(midfootregion)およびかかと領域(heel region)を有するミッドソールを含む。ミッドソールは、上面、下面および側壁を含み、側壁は、側壁から延出する複数の凸状構造を含む第１壁部分と、側壁内に延在する複数の凹状構造を含む第２壁部分とを含む。一実施形態では、凸状部分および凹状部分は、第１壁部分および第２壁部分の少なくとも一部に近接するミッドソールの領域に対して異なる構造的特性を与える。
【０００７】
凹状構造および／または凸状構造は、少なくとも１つの回転楕円体の一部（たとえば、扁円、扁長もしくは球形の回転楕円体の一部）および／または少なくとも１つの多面体の一部（たとえば、三角形、正方形、矩形、五角形もしくは六角形の多面体のうちの少なくとも１つの一部）を含むかまたは本質的にそれから構成され得る。
【０００８】
一実施形態では、第１部分は前足部領域の少なくとも一部を含み、第２部分はかかと領域の少なくとも一部を含む。一実施形態では、第１部分はかかと領域の少なくとも一部を含み、第２部分は前足部領域の少なくとも一部を含む。一実施形態では、第１部分は内側部の少なくとも一部を含み、第２部分は外側部の少なくとも一部を含む。一実施形態では、第１部分は外側部の少なくとも一部を含み、第２部分は内側部の少なくとも一部を含む。
【０００９】
凸状構造および／または凹状構造のサイズ、形状、向きおよび分布のうちの少なくとも１つは、側壁の少なくとも一部にわたって変化することができる。一実施形態では、第２壁部分に近接するミッドソールの領域は、第１壁部分に近接するミッドソールの領域より剛性が低い。一実施形態では、凸状構造および凹状構造の位置、サイズ、形状、向きおよび／または分布のうちの少なくとも１つは、所定の運動活動に対するパフォーマンス基準および／または所定のアスリートまたはアスリートのグループに対するパフォーマンス基準に基づいて選択されている。
【００１０】
一実施形態では、履物製品は、ミッドソールの下面の少なくとも一部に取り付けられた接地アウトソールを含む。接地アウトソールの下面は、そこから延在する複数のトラクション要素を含むことができる。トラクション要素のうちの少なくとも１つのサイズ、形状、向きおよび分布のうちの少なくとも１つは、所定の運動活動に対するパフォーマンス基準および／または所定のアスリートもしくはアスリートのグループに対するパフォーマンス基準に基づいて選択することができる。
【００１１】
本発明の別の態様は、履物製品のソールの少なくとも一部を設計し製造する方法を含み、ソールは、上面、下面および側壁を有する。本方法は、使用者または運動活動のうちの少なくとも一方に関連する少なくとも１つの入力パラメータを求めるステップと、少なくとも１つの入力パラメータを分析して、少なくとも１つのパフォーマンスメトリックを求めるステップと、パフォーマンスメトリックに基づいて側壁の１つまたは複数の構造的特徴の少なくとも１つの特性を求めるステップとを含む。１つまたは複数の構造的特徴は、（ｉ）側壁から延出する複数の凸状構造を備えた第１壁部分と、（ｉｉ）側壁内に延在する複数の凹状構造を備えた第２壁部分とを含むことができる。本方法は、構造的特徴を含む側壁を備えたソールを形成するステップをさらに含む。
【００１２】
一実施形態では、第１壁部分および第２壁部分は、第１壁部分および第２壁部分の少なくとも一部に近接するソールの領域に対して異なる構造的特性を与える。一実施形態では、少なくとも１つの特性は、凸状構造および／または凹状構造のサイズ、形状、向きおよび分布のうちの少なくとも１つを含む。
【００１３】
本発明の別の態様は、内側部、外側部、前足部領域、中足部領域およびかかと領域を含む履物製品用のミッドソールを含む。ミッドソールは、上面、下面および側壁を含む。側壁は、側壁から延出する複数の凸状構造を含む第１壁部分と、側壁内に延在する複数の凹状構造を含む第２壁部分とを含む。一実施形態では、凸状構造および凹状構造は、第１壁部分および第２壁部分の少なくとも一部に近接するミッドソールの領域に対して異なる構造的特性を与える。
【００１４】
本発明の別の態様は、足を受け入れるように構成されたアッパーと、アッパーの底部に取り付けられたソール部材とを備える履物製品を含む。ソール部材は、内側部、外側部、前足部領域、中足部領域およびかかと領域を有するミッドソールを含む。ミッドソールは、上面、下面および側壁を含む。側壁は、側壁から延出する複数の凸状六角形構造を含む第１壁部分であって、凸状構造のサイズ、形状、向きおよび分布のうちの少なくとも１つが、第１壁部分の少なくとも一部にわたって変化する、第１壁部分と、側壁内に延在する複数の凹状六角形構造を含む第２壁部分であって、凹状構造のサイズ、形状、向きおよび分布のうちの少なくとも１つが、第２壁部分の少なくとも一部にわたって変化する、第２壁部分とを含む。
【００１５】
一実施形態では、第１壁部分および第２壁部分は、第１壁部分および第２壁部分の少なくとも一部に近接するミッドソールの領域に対して異なる構造的特性を与える。一実施形態では、第１部分は内側部の少なくとも一部を含み、第２部分は外側部の少なくとも一部を含む。
【００１６】
これらの目的および他の目的は、本明細書に開示する本発明の利点および特徴とともに、以下の説明、添付図面および特許請求の範囲を参照することによってより明らかとなろう。さらに、本明細書に記載するさまざまな実施形態の特徴は、相互に排他的ではなく、さまざまな組合せおよび順列で存在する可能性があることが理解されるべきである。
本発明は、例えば、以下の項目を提供する。
（項目１）
内側部、外側部、前足部領域、中足部領域およびかかと領域を有する履物製品用のミッドソールであって、
上面と、
下面と、
側壁であって、
（ｉ）前記側壁から延出する複数の凸状構造を備えた第１壁部分と、
（ｉｉ）前記側壁内に延在する複数の凹状構造を備えた第２壁部と、
を備え、前記凸状構造および前記凹状構造が、前記第１壁部分および前記第２壁部分に近接する前記ミッドソールの領域に対して異なる構造的特性を与える、
側壁と、
を備えるミッドソール。
（項目２）
前記凹状構造および前記凸状構造のうちの少なくとも一方が、回転楕円体または多面体のうちの少なくとも一方の一部を備える、項目１に記載の履物。
（項目３）
前記凹状構造および前記凸状構造のうちの少なくとも一方が、扁円、扁長または球形の回転楕円体のうちの少なくとも１つの一部を備える、項目１に記載の履物。
（項目４）
前記凹状構造および前記凸状構造のうちの少なくとも一方が、三角形、正方形、矩形、五角形または六角形の多面体のうちの少なくとも１つの一部を備える、項目１に記載の履物。
（項目５）
前記第１部分が前記前足部領域の少なくとも一部を含み、前記第２部分が前記かかと領域の少なくとも一部を含む、項目１に記載の履物。
（項目６）
前記第１部分が前記かかと領域の少なくとも一部を含み、前記第２部分が前記前足部領域の少なくとも一部を含む、項目１に記載の履物。
（項目７）
前記第１部分が前記内側部の少なくとも一部を含み、前記第２部分が前記外側部の少なくとも一部を含む、項目１に記載の履物。
（項目８）
前記第１部分が前記外側部の少なくとも一部を含み、前記第２部分が前記内側部の少なくとも一部を含む、項目１に記載の履物。
（項目９）
前記凸状構造のサイズ、形状、向きおよび分布のうちの少なくとも１つが、前記第１壁部分の少なくとも一部にわたって変化する、項目１に記載の履物。
（項目１０）
前記凹状構造のサイズ、形状、向きおよび分布のうちの少なくとも１つが、前記第２壁部分の少なくとも一部にわたって変化する、項目１に記載の履物。
（項目１１）
前記第２壁部分に近接する前記ミッドソールの前記領域が、前記第１壁部分に近接する前記ミッドソールの前記領域より剛性が低い、項目１に記載の履物。
（項目１２）
前記凸状構造および前記凹状構造の位置、サイズ、形状、向きおよび分布のうちの少なくとも１つが、所定の運動活動に対するパフォーマンス基準に基づいて選択されている、項目１に記載の履物。
（項目１３）
前記凸状構造および前記凹状構造の位置、サイズ、形状、向きおよび分布のうちの少なくとも１つが、所定のアスリートまたはアスリートのグループに対するパフォーマンス基準に基づいて選択されている、項目１に記載の履物。
（項目１４）
前記ミッドソールの前記下面の少なくとも一部に取り付けられた接地アウトソールをさらに備え、前記接地アウトソールがそこから延在する複数のトラクション要素を備える、項目１に記載の履物。
（項目１５）
前記トラクション要素のうちの少なくとも１つのサイズ、形状、向きおよび分布のうちの少なくとも１つが、所定の運動活動、所定のアスリートおよびアスリートの所定のグループのうちの少なくとも１つに対するパフォーマンス基準に基づいて選択されている、項目１４に記載の履物。
（項目１６）
履物製品のソールの少なくとも一部を製造する方法であり、前記ソールが上面、下面、側壁を有する、方法であって、
使用者または運動活動のうちの少なくとも一方に関連する少なくとも１つの入力パラメータを求めるステップと、
前記少なくとも１つの入力パラメータを分析して、少なくとも１つのパフォーマンスメトリックを求めるステップと、
前記パフォーマンスメトリックに基づいて前記側壁の１つまたは複数の構造的特徴を求めるステップであって、前記構造的特徴が、（ｉ）前記側壁から延出する複数の凸状構造を備えた第１壁部分と、（ｉｉ）前記側壁内に延在する複数の凹状構造を備えた第２壁部とを含み、前記第１壁部分および前記第２壁部分が、前記第１壁部分および前記第２壁部分の少なくとも一部に近接する前記ソールの領域に対して異なる構造的特性を与える、ステップと、
前記１つまたは複数の構造的特徴を備えた前記側壁を有する前記ソールを形成するステップと、
を含む方法。
（項目１７）
前記少なくとも１つの構造的特徴が、凸状構造および凹状構造のサイズ、形状、向きおよび分布のうちの少なくとも１つを含む、項目１６に記載の方法。
（項目１８）
足を受け入れるように構成されたアッパーと、前記アッパーの底部に取り付けられたソール部材とを備える履物製品であって、前記ソール部材が、
内側部、外側部、前足部領域、中足部領域およびかかと領域を有するミッドソールであって、
上面と、
下面と、
側壁であって、
（ｉ）前記側壁から延出する複数の凸状六角形構造を備えた第１壁部分であって、前記凸状構造のサイズ、形状、向きおよび分布のうちの少なくとも１つが、前記第１壁部分の少なくとも一部にわたって変化する、第１壁部分と、
（ｉｉ）前記側壁内に延在する複数の凹状六角形構造を備えた第２壁部であって、前記凹状構造のサイズ、形状、向きおよび分布のうちの少なくとも１つが、前記第２壁部分の少なくとも一部にわたって変化する、第２壁部分と、
を備える側壁と、を備えるミッドソール
を備える、履物製品。
（項目１９）
前記凸状構造および前記凹状構造が、前記第１壁部分および前記第２壁部分の少なくとも一部に近接する前記ミッドソールの前記領域に対して異なる構造的特性を与える、項目１８に記載の履物。
（項目２０）
前記第１壁部分が前記内側部の少なくとも一部を含み、前記第２壁部分が前記外側部の少なくとも一部を含む、項目１８に記載の履物。
【００１７】
図面において、同様の参照符号は、概して、それぞれの図を通して同じ部分を指している。また、図面は、必ずしも正確な尺度で描かれているとは限らず、代わりに、概して、本発明の原理を例示することに重きが置かれている。以下の説明では、本発明のさまざまな実施形態について以下の図面を参照して記載する。
【図面の簡単な説明】
【００１８】
【図１Ａ】本発明の一実施形態による、靴のソールの側壁に凹状要素および凸状要素を有する靴の側面図である。
【図１Ｂ】図１Ａの靴の第１斜視図である。
【図１Ｃ】図１Ａの靴の第２斜視図である。
【図２Ａ】図１Ａの靴に対する凹状要素のさまざまな図である。
【図２Ｂ】図１Ａの靴に対する凹状要素のさまざまな図である。
【図２Ｃ】図１Ａの靴に対する凹状要素のさまざまな図である。
【図３Ａ】図１Ａの靴に対する凸状要素のさまざまな図である。
【図３Ｂ】図１Ａの靴に対する凸状要素のさまざまな図である。
【図３Ｃ】図１Ａの靴に対する凸状要素のさまざまな図である。
【図３Ｄ】図１Ａの靴に対する凸状要素のさまざまな図である。
【図４Ａ】本発明の一実施形態による、靴のソールの側壁に複数の凹状要素および凸状要素を有する靴の側面図である。
【図４Ｂ】図４Ａの靴の第１斜視図である。
【図４Ｃ】図４Ａの靴の第２斜視図である。
【図５Ａ】図４Ａの靴に対する複数の凹状要素のさまざまな図である。
【図５Ｂ】図４Ａの靴に対する複数の凹状要素のさまざまな図である。
【図５Ｃ】図４Ａの靴に対する複数の凹状要素のさまざまな図である。
【図６Ａ】図４Ａの靴に対する複数の凸状要素のさまざまな図である。
【図６Ｂ】図４Ａの靴に対する複数の凸状要素のさまざまな図である。
【図６Ｃ】図４Ａの靴に対する複数の凸状要素のさまざまな図である。
【図６Ｄ】図４Ａの靴に対する複数の凸状要素のさまざまな図である。
【図７Ａ】本発明の一実施形態による、靴のソールの平面図である。
【図７Ｂ】図７Ａのソールの（断面Ａ−Ａの）さまざまな断面端面図例である。
【図７Ｃ】図７Ａのソールの（断面Ａ−Ａの）さまざまな断面端面図例である。
【図７Ｄ】図７Ａのソールの（断面Ａ−Ａの）さまざまな断面端面図例である。
【図７Ｅ】図７Ａのソールの（断面Ａ−Ａの）さまざまな断面端面図例である。
【図７Ｆ】図７Ａのソールの（断面Ａ−Ａの）さまざまな断面端面図例である。
【図８】本発明の一実施形態による、ソールに凹状要素および／または凸状要素を有する別の靴の側面図である。
【図９】本発明の一実施形態による、ソールに凹状要素および／または凸状要素を有する別の靴の側面図である。
【図１０Ａ】本発明の一実施形態による、靴のソール例の平面図である。
【図１０Ｂ】図１０Ａの靴のソールの内側側面図である。
【図１０Ｃ】図１０Ａの靴のソールの外側側面図である。
【図１０Ｄ】図１０Ａの靴のソールの後端面図である。
【図１１Ａ】本発明の一実施形態による、別の靴のソール例の平面図である。
【図１１Ｂ】図１１Ａの靴のソールの内側側面図である。
【図１１Ｃ】図１１Ａの靴のソールの外側側面図である。
【図１１Ｄ】図１１Ａの靴のソールの前端面図である。
【図１１Ｅ】図１１Ａの靴のソールの後端面図である。
【図１２Ａ】本発明の一実施形態による、別の靴のソール例の平面図である。
【図１２Ｂ】図１２Ａの靴のソールの内側側面図である。
【図１２Ｃ】図１２Ａの靴のソールの外側側面図である。
【図１２Ｄ】図１２Ａの靴のソールの前端面図である。
【図１２Ｅ】図１２Ａの靴のソールの後端面図である。
【図１２Ｆ】図１２Ａの靴のソールの第１斜視図である。
【図１２Ｇ】図１２Ａの靴のソールの第２斜視図である。
【図１３Ａ】本発明の一実施形態による、別の靴のソール例の平面図である。
【図１３Ｂ】図１３Ａの靴のソールの内側側面図である。
【図１３Ｃ】図１３Ａの靴のソールの外側側面図である。
【図１３Ｄ】図１３Ａの靴のソールの後端面図である。
【図１４Ａ】本発明の一実施形態による、ソールにトラクション要素を有する靴の斜視図である。
【図１４Ｂ】図１４Ａに示すトラクション要素のさまざまな図である。
【図１４Ｃ】図１４Ａに示すトラクション要素のさまざまな図である。
【図１４Ｄ】図１４Ａに示すトラクション要素のさまざまな図である。
【図１４Ｅ】図１４Ａに示すトラクション要素のさまざまな図である。
【図１４Ｆ】図１４Ａに示すトラクション要素のさまざまな図である。
【図１４Ｇ】図１４Ａに示すトラクション要素のさまざまな図である。
【図１４Ｈ】図１４Ａに示すトラクション要素のさまざまな図である。
【図１５Ａ】本発明の一実施形態による、別の靴のソール例の平面図である。
【図１５Ｂ】図１５Ａの靴のソールの内側側面図である。
【図１５Ｃ】図１５Ａの靴のソールの外側側面図である。
【図１５Ｄ】図１５Ａの靴のソールの後端面図である。
【図１５Ｅ】図１５Ａの靴のソールの上面図である。
【図１６】本発明の一実施形態による、靴のソールに色付けする方法の（断面Ａ−Ａの）断面端面図である。
【図１７】本発明の一実施形態による、靴のソールに色付けする方法の（断面Ａ−Ａの）平面図である。
【図１８】本発明の一実施形態による、多色の靴のソールの斜視図である。
【図１９】本発明の一実施形態による、別の多色の靴のソールの斜視図である。
【発明を実施するための形態】
【００１９】
靴のソール、特に運動靴用の靴のソールに構造的制御を提供し性能特性を追加する従来の方法では、多くの場合、ソールに複数の材料および／または複雑な機械的構造を追加することが必要である。
これは、多くの場合、時間がかかり、コストがかかり、靴製造の複雑性を著しく増幅させる可能性がある。
したがって、複数の材料および／もしくは複雑な機械的構造から、または複雑かつ費用のかかる製造技法によって、ソールを製造する必要なしに、ソールに対して優れた性能特性および制御を提供する構造的要素を有する靴のソールが必要とされている。
【００２０】
本明細書に記載する発明は、追加の材料または別個の構造的要素を組み込む必要なしに、改善された性能特性を提供する、靴およびその要素を提供する。
これは、ソールの１つまたは複数の面に注意深く配置されかつ成形された構造的特徴を追加することによって達成され、その特徴は、たとえば従来の成形法によって、ソールの形状に追加される。
その結果、費用効果が高くかつ効率的に特定の使用者および／または特定の運動活動に対して最適化された性能特性を備えた、単純な一枚のミッドソール（または、他の簡単なソール構造を有するミッドソール）を形成することができる。
【００２１】
本明細書に記載するソールまたはソール要素（たとえばミッドソール）は、任意の適切な技法から製造することができ、たとえば、限定されないが、発泡成形、打抜き、発泡材の彫刻、圧縮成形および／または３Ｄプリントもしくは付加製造（たとえば、選択的レーザー焼結による）等の成形法から製造することができる。
本明細書に記載するソールおよびソール要素に使用される材料としては、限定されないが、ポリマー、エラストマーおよび／または熱可塑性樹脂を含むかまたは本質的にそれから構成され得るポリマー材料を挙げることができる。たとえば、ポリマー材料は、エチレンビニルアセテート（ＥＶＡ）、ＥＶＡコポリマー、ポリエチレン（ＰＥ）、塩素化ポリエチレン（ＣＰＥ）、ポリウレタン（ＰＵ）、熱可塑性ポリウレタン（ＴＰＵ）、ＤｕＰｏｎＴＭＳｕｒｌｙｎ（登録商標）、ブロー成形ゴムまたは熱可塑性ゴム（ＴＰＲ）であり得る。
一実施形態例では、ポリマー材料は、グランドコンタクトＥＶＡ（すなわち、靴のソールの接地面として使用することができるように適切な性能特性、摩耗特性および耐久特性を提供するように特に開発されたＥＶＡ）である。
【００２２】
いくつかの性能特性を提供する構造的壁要素を有する靴のソールを形成することにより、運動活動中にアスリートのパフォーマンスを向上させかつ／または着用時の履物製品の快適さを向上させるように、運動活動および／または所定のアスリートもしくはアスリートのグループの１つまたは複数の必要を満たすように特にカスタマイズされた、履物または履物要素の生成が可能になる。
所定のパフォーマンス要件を満たすような履物のカスタマイズは、限定されないが、（自身の履物からパフォーマンスの向上を期待する）アスリート、（自身の所定の状態に対してより優れた支援および／または治療を提供する履物を期待する）疾患のある人、または改善されかつカスタマイズされたパフォーマンスの利益および／もしくは（たとえば、装飾的要素、商標、名称等を含む）カスタマイズされた審美的外観を有する履物を期待する、気軽にランニングもしくはウォーキングする人等、個人の多くのグループに対して有益であり得る。
本明細書における記載は、概して、アスリートに対してパフォーマンス特性を改善するように設計された履物に関するが、本明細書に記載する方法および構造は、あらゆる目的に対するかつあらゆる使用者に対して要素をカスタマイズすることに等しく適用可能であることが留意されるべきである。
【００２３】
本明細書に記載する本発明により、履物製品（たとえば、靴、ビーチサンダル、サンダル、ソックス、圧迫支持要素等の運動用サポーター）の生成、および／または製品およびその製造に著しいコストもしくは複雑性を追加することなく優れたパフォーマンスを提供する、完成品に組み込まれる履物製品の要素のカスタマイズが可能になる。
履物要素例としては、限定されないが、靴用のアウトソール、ミッドソールおよび／もしくはインソール、ならびに／または靴のソールの所定領域（たとえば、かかと領域、中足部領域および／または前足部領域）においてソールに（たとえば、機械的取付、接着または他の適切な取付手段により）組み込まれるかまたは取り付けられる要素等、アウトソール、ミッドソールおよび／またはインソース内に配置されるカスタマイズされた要素が挙げられる。
【００２４】
ここで重要な履物または履物要素の性能特性は、個人または個人のグループに関連する複数の身体的特徴、パフォーマンス（たとえば、運動パフォーマンス）特性および／または使用者選好特性に基づくことができる。
たとえば、限定されないが、着地位置（たとえば、歩行サイクルまたは他の運動動作中の足の初期接地中のかかとでの着地、中足部での着地または前足部での着地）、ストライド長、ピッチ（すなわち、歩調）、着地時の足の回内もしくは回外、着地および足指離地中の足の旋回、走り方、走る速さおよび／または１つもしくは複数の関節の柔軟性等の所定のアスリートまたはアスリートの一部のパフォーマンス態様に対して、履物に関して注意深く選択された構造的要素の追加を通して対処することができる。所定のパフォーマンス特性は、必要に応じて、運動活動中のアスリートのパフォーマンスを向上させかつ／または運動活動中に着用されている履物の快適さを向上させるために、支持されまたは補償される。
【００２５】
さらに、所定のアスリートまたはアスリートの一部のための履物ソールに対して壁要素を成形し、位置決めし、方向付けるとき、所定の運動活動のパフォーマンス要件を考慮することができる。
たとえば、ランナー（トラックランナー、ロードランナーまたはクロスカントリーランナー等）に対するパフォーマンスおよびトラクション要件は、そのランナーが短距離走者であるかもしくは長距離走者であるか、および／またはそのランナーが（たとえば、標準的な屋内または屋外の陸上競技場において）コーナーを回って走ることを考慮する履物を必要とするか、もしくは、競走が主に（たとえば、ロードレースまたはジョギング中に）直線で行われるか否かに応じて異なる可能性がある。
履物のカスタマイズはまた、そのアスリートが競技をしている天候および足元の状態によっても決まる可能性があり、たとえば、湿った／乾いた状態および／または柔らかい／硬い足元の状態に対して、異なるトラクション要件が必要である。
さらに、スポーツが異なると構造的要素の異なる形状、サイズおよび／または構成が必要である可能性があり、たとえば、サッカー、アメリカンフットボール、フィールドホッケー、野球等の靴はすべて、異なる構造的性能要件を必要とする。
【００２６】
履物ソール要素をカスタマイズすることができる他の運動活動としては、著しい旋回型および／または方向転換型の動きを伴う活動（たとえば、バスケットボール、野球、ソフトボール、サッカー、アメリカンフットボール、フィールドホッケー、アイスホッケー、アイススケート、スピードスケート、ラグビー、テニス、スカッシュ、ラケットボール、スケートボード、サイクリング等）が挙げられる。そこでは、個人の技術および身体的特徴が、人によって大幅に異なる可能性があり、特別にカスタマイズされたトラクション要素および構造的壁要素が、運動の動きの個人のパフォーマンスを大幅に向上させることができる。
所定のアスリートおよび／または活動のパフォーマンス特性の一意の組合せを向上させまたは支援する構造的壁要素およびトラクション要素を生成する際に、跳躍、前かがみ、蹴り、投げ、旋回、回転等の任意の活動または活動の組合せを考慮することができる。
【００２７】
図１Ａ〜図１Ｃに、靴例を示す。
靴１００は、アッパー１０５を含む。アッパー１０５の底部１１５には、ソール１１０が取り付けられている。靴１００は、前足部領域１２０、中足部領域１２５、かかと領域１３０、および足を受け入れることができる開口部１３５を含む。靴は、外側部１４０および内側部１４５をさらに含む。
ソール１１０は、靴１００の内部の方に面する上面２１０と、靴が地面と接触するときに地面の方に面する下面１５５とを有する、ミッドソール１５０を含む。
一実施形態では、ミッドソール１５０は、靴のソールの接地面として使用することができるように適切な性能特性、トラクション特性、摩耗特性および耐久特性を有する材料（たとえば、グランドコンタクトＥＶＡ）から形成することができる。
代替実施形態では、靴１００に対して適切な接地特性を提供するように、下面１５５に１つまたは複数のアウトソール要素（たとえば、ゴム製のアウトソール要素）を取り付けることができる。
【００２８】
ミッドソール１５０は、ミッドソール１５０の周縁部の周囲に延在する側壁１６０をさらに含む。
一実施形態では、側壁１６０およびミッドソール１５０のさまざまな領域に所定の構造的特性、性能特性および審美的特性を提供するように、側壁１６０に幾何学的な構造状の特徴を組み込むことができる。
これらの幾何学的特徴としては、たとえば、側壁１６０内に延在する１つもしくは複数の凹状要素１６５、および／または側壁１６０から延出する１つもしくは複数の凸状要素１７０を挙げることができる。
凹状要素１６５および凸状要素１７０は、任意の適切な形状、サイズおよび向きとすることができ、必要な所定の構造的特性、性能特性および審美的特性に応じて任意の適切な方法で配置することができる。
たとえば、凹状要素１６５および凸状要素１７０は、別個の回転楕円状要素の一部（たとえば、扁円、扁長または球状の回転楕円体の一部）、または側壁１６０内に延在するかもしくは側壁１６０から延出する別個の多面体要素の一部として形成することができる。
多面体要素例としては、限定されないが、四面体（すなわち、４つの三角面を有する多面体）、立方体、八面体、十二面体、二十面体等の多面体形状、およびたとえば、三角形、正方形、矩形、五角形、六角形またはそれより高次の断面を有する３次元形状を含むことができる。
【００２９】
図２Ａ〜図３Ｄに、図１Ａ〜図１Ｃの靴に対する例としての凹状要素１６５および凸状要素１７０を示す。この凹状要素１６５および凸状要素１７０は、細長い六角形の断面を有している。
（図２Ａ〜図２Ｃに示す）凹状要素１６５は、６つの傾斜壁１８０が側壁１６０から（すなわち、ミッドソール１５０の内部に向かって）凹状に先端壁１８５まで内側に延在している細長い六角形基部１７５を有している。
同様に、（図３Ａ〜図３Ｄに示す）凸状要素１７０は、６つの傾斜壁１９０が側壁１６０から凸状に先端壁１９５まで外側に延在している細長い六角形基部１７５を含む。
【００３０】
さまざまな実施形態において、凹状要素１６５および／または凸状要素１７０は、任意の適切な程度まで内側および外側に延在することができ（すなわち、凹状要素１６５および凸状要素１７０は任意の適切な厚さ／深さを有することができ）、傾斜壁１８０、１９０は、任意の鋭角（たとえば、約５°から略９０°の間、または１０°から８０°の間、または２０°から７０°の間）で、もしくは鈍角（たとえば、約９０°から約１３５°の間）で延在し、または側壁１６０に対して垂直にもしくは実質的に垂直に延在することができる。
一実施形態では、凹状要素１６５および／または凸状要素１７０の断面形状は、要素の厚さ／深さにわたって実質的に一定のままであり得る。
代替実施形態では、断面形状は、（要素の厚さ／深さにわたる断面の面積の変化に加えてまたはその代わりに）要素の厚さ／深さにわたって変化することができる。
【００３１】
一実施形態では、側壁１６０に１つまたは複数の凹状要素１６５を配置することにより、側壁１６０のその部分における材料の体積を低減させ、それによりその側壁１６０部分にわたる材料の全体的な密度を低減させることにより、その部分における側壁１６０の剛性を低減させることができる。
したがって、これにより、側壁１６０のその部分の圧縮率を増大させ、したがって、その領域に、より大きいかまたはより柔らかい緩衝の局所領域をもたらすことができる。
凹状要素１６５が、凹状要素１６５の位置に近接してミッドソール１５０の緩衝を変化させることができる程度は、限定されないが、側壁１６０領域内の凹状要素１６５のサイズ、厚さ／深さ、形状、向きおよび／または分布等の要素によって決まる可能性がある。
さらに、限定されないが、皮革層の構造的特性（たとえば、皮革層の厚さ、層の剛性、および／またはミッドソール１５０の内部発泡体に対する皮革層の剛性の相違）等、ミッドソール１５０で使用される材料の特性は、凹状要素１６５が要素１６５に近接してミッドソール１５０の緩衝特性を変化させる程度に影響を与える可能性がある。
一実施形態では、凹状要素１６５の厚さ／深さを増大させる（すなわち、凹状要素１６５が延在するミッドソール１５０内の距離を増大させる）ことにより、凹状要素１６５の周囲のミッドソールの剛性が低減し、それにより、ミッドソール１５０がその領域において有効により柔らかくなる。
【００３２】
同様に、側壁１６０の一部における１つまたは複数の凸状要素１７０のサイズ、厚さ／深さ、形状、向きおよび／または分布は、凸状要素１７０に近接するミッドソール１５０の緩衝特性に影響を与える可能性がある。
たとえば、凸状要素１７０の追加（およびいくつかの実施形態では、凸状構造をソールの中心部分からさらに延出させる楔形または隆起したミッドソール材料の追加等、凸状要素１７０に近接するさらなるミッドソール材料の追加）が、さらなる耐圧縮性を提供し、したがって、凸状要素１７０が追加される領域における側壁１６０（および側壁１６０のその部分に近接するミッドソール１５０）の構造的特性に影響を与える。
【００３３】
一実施形態では、構造的凹状要素１６５および／または凸状要素１７０を組み込むことに加えて、側壁１６０の表面の凹凸化を適用することができる。
凹凸化（すなわち、審美的目的のための壁の表面への浅い表面パターンまたは起伏の追加）は、凹状要素１６５および／または凸状要素１７０の周囲またはそこから離れる側壁１６０の領域のみに適用することができ、または周囲の側壁１６０に加えてまたはその代わりに凹状要素１６５および／または凸状要素１７０の表面の上に適用することができる。
本明細書に記載した構造的凸状要素および凹状要素とは異なり、表面凹凸化は、側壁の表面に限定され、ミッドソールの構造的変化に影響を与えるのに十分な深さまで壁内に延在しない。
一実施形態では、たとえば、凹凸化は、側壁の表面内に０．５ｍｍを越えて延在せず、たとえば、側壁の表面内に０ｍｍから０．１ｍｍまたは０．２ｍｍの間で延在することができる。
対照的に、構造的凸状要素および凹状要素は、必要な適切な構造的特徴および性能特徴を提供するために必要な任意の適切な距離、側壁の表面から延出しかつ（必要に応じて）表面内に延在することができる。
一実施形態では、凹状構造および凸状構造は、側壁の表面から０ｍｍから２ｍｍの間、または０ｍｍから１ｍｍの間、または０ｍｍから０．５ｍｍの間、延在することができる。代替実施形態では、任意の適切な距離／深さまたは深さの範囲を利用することができる。
【００３４】
一実施形態では、凹状要素１６５および／または凸状要素１７０の向きを変更することは、側壁１６０のその領域の周囲のミッドソールの緩衝特性に影響を与えることができる。
たとえば、一実施形態では、細長い断面輪郭を有する凹状要素１６５および／または凸状要素１７０を形成することにより、負荷が、要素の長軸に沿って加えられるか、要素の長軸に対して垂直に加えられるか、または要素の長軸に対してある角度で加えられるかに応じて異なるように変形する要素がもたらされる。
これは、たとえば、ミッドソールを、負荷が第１方向に加えられるときは相対的に柔らかくするが、負荷が第２方向に加えられるときは相対的に硬くすることができる構造を生成することにおいて、有益であり得る。
これにより、歩行サイクルのさまざまな段階中にミッドソールによって提供される緩衝を制御することを可能にすることができる。
それは、アスリートがミッドソールに負荷をかける角度が、歩行サイクルの接地段階にわたって変化する（負荷の水平成分は、概して、最初の着地中は前方向に、足指離地中は後方向にかけられる）ためである。
一実施形態では、ミッドソール１５０が、足（たとえば、かかと）が地面を蹴るときは相対的に柔らかい（それにより、着地中の緩衝が増大する）が、足が押し離れるときは相対的に堅く見える（それにより、足指離地中にアスリートによって生成される力を増大させる）ように、細長い要素（たとえば、細長い凹状要素１６５）を方向付けることができる。
さらに、負荷の角度に応じてミッドソールの剛性を制御することは、所定の運動の動きおよび／または活動中に最適な運動技術を促進するという点で有益であり得る。
【００３５】
図８に、異なるように方向付けられた要素を有する靴例を示す。
この実施形態では、
長軸２１５を有する（凹状要素１６５または凸状要素１７０であり得る）第１要素２２０が、水平面２２５に対して第１角度「ａ」で向けられており、
（凹状要素１６５または凸状要素１７０でもあり得る）第２要素２３０が、水平面２２５に対して第２角度「ｂ」で向けられている。
さまざまな実施形態では、ソールの所定の構造的要件に応じて、凹状要素および／または凸状要素に対する向きの角度の任意の適切な範囲および組合せを利用することができる。
【００３６】
さまざまな実施形態では、靴の異なる部分におけるミッドソール１５０の性能特性を制御するために、側壁１６０の異なる領域に、任意の適切な数および分布の凹状要素１６５および／または凸状要素１７０を配置することができる。
たとえば、靴の各側に異なる緩衝特性および安定特性を提供するために、内側部１４５および外側部１４０に、凹状要素１６５および／または凸状要素１７０の異なる配置を位置付けることができる（たとえば、過回内を制御するために、かかとの内側部における剛性を高くし、かかとの外側部における剛性を低くし、かつ／または方向転換運動を促進するために、前足部の外側部における剛性を高くし、前足部の内側部における剛性を低くする）。
さらにまたは別法として、前足部領域１２０、中足部領域１２５およびかかと領域１３０において、それらの領域におけるミッドソール１５０の性能特性を制御するために、凹状要素１６５および／または凸状要素１７０の異なる配置を位置付けることができる。
図４Ａ〜図４Ｃに、靴１００における凹状要素１６５および／または凸状要素１７０の配置例を見ることができ、
図５Ａ〜図５Ｃに凹状要素１６５の配置を示し、
図６Ａ〜図６Ｄに凸状要素１７０の配置を示す。
図示するように、凹状要素１６５および／または凸状要素１７０は、小さい側壁領域２００によって分離された規則的な繰返しパターンで示されている。
凹状要素１６５が互いに近接していること（同様に、凸状要素１７０が互いに近接していること）を使用して、側壁１６０（および側壁１６０に近接するミットソール５０）の性能特性を制御することも可能である。凹状要素１６５および／または凸状要素１７０の密度が高くなることは、側壁１６０の特性により大きく影響を与える。
【００３７】
代替実施形態では、側壁１６０のいくつかの部分にわたって、凹状要素１６５および／または凸状要素１７０のサイズ、形状、向きおよび分布を変化させることができ、たとえば、前足部領域における要素のサイズ、形状および／または向きは、かかと領域におけるものとは異なる。
一実施形態では、要素の形状（および、要素によってもたらされる側壁１６０の結果としての特性）を領域ごとに徐々に変化させることができる。代替実施形態では、領域ごとに要素形状の間に急峻な分割点があり得る。
【００３８】
一実施形態では、複数の凹状要素を組み込んだ壁部分は、その壁部分またはその一部にわたって断面積、深さ、形状および／または向きが変化する凹状要素を含むことができる。
たとえば、壁部分は、その中心領域に相対的に大きくかつ深い凹状要素を含むことができ、相対的に小さくかつ浅い凹状要素は、その壁部分の縁まで分散配置される。
同様に、複数の凸状要素を組み込んだ壁部分は、その壁部分またはその一部にわたって断面積、深さ、形状および／または向きが変化する凸状要素を含むことができる。
【００３９】
一実施形態では、凹状要素１６５、凸状要素１７０、および必要な場合はさらなる壁特徴をミッドソール１５０の異なる領域において注意深く配置しかつ選択することにより、側壁１６０の特性（したがって、側壁１６０に近接するミッドソール１５０の特性）を制御することができる。
たとえば、図７Ｂ〜図７Ｆは、図７Ａに示すミッドソール１５０のかかと領域１３０の外側部１４０および内側部１４５における凹状要素１６５および／または凸状要素１７０の異なる分布を、断面Ａ−Ａで示す。
【００４０】
より詳細には、図７Ｂは、内側部１４５に分散配置された複数の浅い凹状要素１６５と、外側部１４０に分散配置された複数の浅い凸状要素１７０とを有するかかと領域１３０を示している。
図７Ｃは、同様であるが、より厚い（または深い）凹状要素１６５および凸状要素１７０を備えた構成を示す。
図７Ｄは、内側部１４５に分散配置された複数の凹状要素１６５を有するが、外側部１４０において側壁１６０に要素が分散配置されていない配置を示す。
図７Ｅは、ミッドソール１５０の上面２１０から下面１５５まで厚さが変化する、凹状要素１６５および凸状要素１７０を有する配置を示す。
図７Ｆは、外側部１４０および内側部１４５両方に凹状要素１６５を有するミッドソール１５０を示す。
代替実施形態では、ミッドソール１５０のさまざまな領域に所定の構造的特性および性能特性を提供するように、側壁１６０のさまざまな領域に、任意の数、サイズ、形状、向きおよび分布の凹状要素１６５、凸状要素１７０、平坦な側壁１６０部および／または他の構造的特徴を配置することができる。
【００４１】
一実施形態では、側壁１６０の異なる部分に、異なる形状の凹状要素１６５および／または凸状要素１７０を配置することができる。
さらにまたは別法として、側壁１６０領域は、異なる凹状要素１６５および／または凸状要素１７０の配置と、たとえば、異なる形状の要素の配置および／または凹状要素１６５および凸状要素１７０両方を有する配置とを含むことができる。
たとえば、図９は、
複数の均一に分散配置された正方形凹状要素または凸状要素２５０を有する配置を含む第１領域と、
複数の細長い長円形凹状要素または凸状要素２５５を有し、それらの間に球形の凹状要素または凸状要素２６０が散在している配置を含む第２領域と
を有する、靴１００用のミッドソール１５０を示す。
【００４２】
靴１００用のミッドソール１５０の側壁１６０内に構造的特徴を提供することに加えて、靴の接地面（たとえば、アウトソールおよび／または接地ミッドソール）内に、トラクション要素（たとえば、凹状構造および／または凸状構造を有するトラクション要素）を組み込んで、最適化されたトラクション特性および他の性能特性（たとえば、制御された可撓性）を接地面に提供することができる。
こうしたトラクション要素を設計し、形成しかつ／または最適化する方法は、米国特許出願第１４／１３４，９４８号明細書に記載されており、その開示内容は、全体として参照により本明細書に組み込まれる。
一実施形態では、接地面におけるトラクション要素は、靴の側壁における凹状要素および／または凸状要素と同じかまたは同様の形状であり得る。
別法として、接地トラクション要素は、側壁における凹状要素および／または凸状要素と異なる形状であり得る。
【００４３】
図１０〜図１０Ｄに、下面にアウトソール３０５が位置するミッドソール１５０を有する靴用の例としてのソール３００を示す。
ミッドソール１５０は、側壁１６０の大部分の周囲に延在する凹状要素１６５および凸状要素１７０の配置を含む。
ミッドソール１５０は、凹状要素１６５を有する内側前足部分３１０と、凸状要素１７０を有する内側かかと部分３１５と、凸状要素１７０を有する外側前足部分３２０と、凹状要素１６５を有する外側かかと部分３２５とを含む。
さらに、ミッドソール１５０は、壁要素が凹状から凸状に移行する移行領域３３５を含む外側中足部分３３０と、領域の大部分にわたって凸状要素１７０を有し、壁要素が凹状から凸状に移行する（内側中足部分３４０の前方部分における）移行領域３４５を備えた内側中足部分３４０とを含む。
代替実施形態では、側壁１６０の１つまたは複数の任意の部分が、必要に応じて凹状要素１６５および／または凸状要素１７０を含むことができ、必要に応じて、凹状壁要素と凸状壁要素との間に急峻なまたは拡張した移行領域がある。
【００４４】
一実施形態では、アウトソール３０５は、ソール３００と地面との間にトラクションを提供する複数のトラクション要素３５０（この場合、凸状トラクション要素）を含む接地面またはトレッドパターンを含む。
トラクション要素のサイズ、形状、位置、向きおよび分布は、たとえば、参照により本明細書に組み込まれる米国特許出願第１４／１３４，９４８号明細書に記載されているように、靴が設計される運動活動に対してかつ／または靴が設計されるアスリート（またはアスリートのタイプ）に対して最適化された、優れたトラクションを提供するように最適化することができる。
一実施形態では、アウトソール３０５は、トラクション要素のない連続部分３５５を含み、それにより、それらの領域（たとえば、限定されないが、ミッドソール１５０のかかと部分の縁の下方等、運動活動中に高い負荷のかかる領域の下方）において、ミッドソール１５０に追加の支持および安定性を提供することができる。
一実施形態では、アウトソール３０５に１つまたは複数の屈曲溝３６０を追加して、屈曲溝３６０に近接する領域内においてソール３００に追加の可撓性を提供することができる。こうした屈曲溝は、実質的に長手方向に（すなわち、かかと領域からつま先領域まで靴の長手方向長さに実質的に平行に）、実質的に横方向に（すなわち、かかと領域からつま先領域まで靴の長手方向長さに実質的に垂直に）、または長手方向に対して任意の適切な角度で延在することができる。１つまたは複数の屈曲溝は、靴の全幅もしくは全長またはその一部のみにわたることができる。屈曲溝は、ソールの下面、ソールの上面および／またはソールの側壁に組み込むことができる。
【００４５】
図１１Ａ〜図１１Ｅに、下面にアウトソール３０５が位置するミッドソール１５０を有する靴用の別の例としてのソール３００を示す。
この実施形態では、ミッドソール１５０は、凸状要素１７０を有する内側前足部分３１０と、凹状要素１６５を有する内側かかと部分３１５と、凸状要素１７０を有する外側前足部分３２０と、凹状要素１６５を有する外側かかと部分３２５とを含む。
ソールの底部は、運動活動中にソール３００に追加の可撓性を提供するようにウェブ状形態で配置された屈曲溝３６０の配置を含み、屈曲溝３６０の周囲に複数の接地アウトソール要素３０５が配置されている。
代替実施形態では、靴の所定の可撓性要件に応じて、アウトソール３０５および／またはミッドソール１５０の下面に屈曲溝３６０の任意の適切な配置を組み込むことができる。
【００４６】
図１２Ａ〜図１２Ｇに、下面にアウトソール３０５が位置するミッドソール１５０を有する靴用の別の例としてのソール３００を示す。
この実施形態では、ミッドソール１５０は、凸状要素１７０を有する内側前足部分３１０と、凹状要素１６５を有する内側かかと部分３１５と、凸状要素１７０を有する外側前足部分３２０と、凹状要素１６５を有する外側かかと部分３２５とを含む。
この実施形態では、側壁１６０は、１つまたは複数の所定の課題に対するミッドソール１５０の構造的要件に応じて、凹状要素１６５および／または凸状要素１７０を有する部分と、こうした要素のない壁部分３７０とを含む。
図１２Ｆに示すように、１つまたは複数のトラクション要素３５０は、必要に応じて、選択された領域に追加のトラクション特性および／または圧縮特性を提供するように凹状構造を内部に有することができる。
【００４７】
図１３Ａ〜図１３Ｄに、下面にアウトソール３０５が位置するミッドソール１５０を有する靴用の別の例としてのソール３００を示す。
この実施形態では、ミッドソール１５０は、凹状要素１６５を有する内側前足部分３１０と、凸状要素１７０を有する内側かかと部分３１５と、凸状要素１７０を有する外側前足部分３２０と、凹状要素１６５を有する外側かかと部分３２５とを含む。
【００４８】
ソール３００用のトラクション要素３５０は、所定の運動活動および／またはアスリートに対して最適化されたトラクション特性を提供するように、注意深く構成し方向付けることができる。
たとえば、図１４Ａ〜図１４Ｈにおいて詳細に示す図１３Ａ〜図１３Ｄの実施形態のトラクション要素３５０は、トレイルランニングに対して最適化されたトラクション特性および性能特性を提供するように角度が付けられかつ成形されている。
本明細書に記載する靴で使用されるトラクション要素の形状および構成と、それを設計し製造する方法とは、参照により本明細書に組み込まれる米国特許出願第１４／１３４，９４８号明細書により詳細に記載されている。
さまざまな実施形態において、限定されないが、ロードランニング、トレイルランニング、ハイキング、トラックランニング（または他の任意の走り方）等、任意の運動に対して、または直線速度、方向転換パフォーマンスまたはその組合せを必要とする任意のスポーツ活動に対して最適化された、パフォーマンス特性および能力を提供するように、壁要素およびトラクション要素を構成することができる。
【００４９】
図１５Ａ〜図１５Ｅに、下面にアウトソール３０５が位置するミッドソール１５０を有する靴用の別の例としてのソール３００を示す。
この実施形態では、ミッドソール１５０は、内側前足部分３１０、内側かかと部分３１５、外側前足部分３２０および外側かかと部分３２５を含み、それらはすべて、上に凹状要素１６５を有し、凹状要素１６５のサイズおよび形状は、側壁１６０の長さにわたって変化する。
さらに、トラクション要素３５０の形状およびサイズは、ソール３００の長さおよび幅にわたって変化する。
【００５０】
図１５Ｅは、ミッドソール１５０の上面２１０を示す。
この実施形態では、上面は複数の凹状要素３８０を含み、それらは、凹状要素３８０を有する領域においてミッドソール１５０の剛性を低減させるように設計された方法で配置されている。
たとえば、上面２１０のいくつかの部分に凹状要素３８０を生成することにより、それらの領域において足下材料が低減し、それにより、それらの領域において足下材料の密度が低減し、それらの領域における耐荷重性が有効に低減する（それにより、それらの領域においてミッドソール１５０の感触が有効に柔らかくなる）。
さまざまな実施形態において、必要な所定の緩衝特性および他の性能特性に応じて任意の適切な方法で、凹状要素３８０に対してサイズを決め、成形し、方向付け、かつ配置することができる。
たとえば、いくつかの領域において凹状要素３８０の厚さを増大させることにより、その領域においてミッドソール１５０の剛性を低減させることができ、靴の長手方向軸に対して所定の向きで細長い凹状要素３８０を方向付けることにより、選択された方向において制御された緩衝および足下支持を提供することができる。
代替実施形態では、ミッドソールの上面は窪みを含むことができ、複数の凸状要素がその窪みから上面の表面まで延在し、凸状要素の形状、サイズおよび深さは、その領域におけるソールの緩衝特性および他の性能特性に影響を与える。
【００５１】
一実施形態では、ソール３００の側壁１６０における凹状要素１６５および凸状要素１７０の配置は、履物に対して一意のかつ魅力的な審美的要素を提供することができる。これは、たとえば、ソール３００内の剛性が高い領域または低い領域の追加の視覚的指標を提供する一方で、履物に対して独特な審美的外観も提供するという点で、有利であり得る。
一実施形態では、多色ソール３００またはその一部を提供することにより、履物の視覚的特徴をさらに強調することができ、そこでは、色の相違が、側壁１６０に形成された構造的要素の視覚的外観を強調する。
【００５２】
一実施形態では、凹状または凸状の構造的構成要素の領域を示す２つ以上の対比色を有するソール３００を形成することにより、履物製品の側壁１６０における凹状要素１６５および凸状要素１７０の形状および位置を目立たせることができる。
これは、たとえば、ソール３００を、第１色を有する材料から全体的にまたは実質的に形成し、その後、側壁１６０の選択領域に第２の対比色を選択的に追加して、靴のソール３００の複数の領域にわたって構造の相違を示す視覚的効果をもたらすことにより、達成することができる。
一実施形態では、より複雑な陰影および色付けをもたらすように、３つ以上の色を使用することができる。
【００５３】
たとえば、側壁１６０に対して非垂直な角度で側壁１６０上に第２対比色を噴霧することができ、それにより、凹状要素１６５および凸状要素１７０の表面のいくつかの部分のみが第２色で覆われ、残りの表面部分は第１色のままである。図１６および図１７に、ソール３００の複数の部分に選択的に色付けする方法例を６つの傾斜壁１９０が側壁１６０から凸状に先端壁１９５まで外側に延在している示し、結果としての２色の靴のソール３００の例を図１８および図１９に示す。
【００５４】
図１６に示すように、側壁１６０に対して、水平面に対して鋭角に噴霧することができ、それにより、スプレーに面する側壁１６０の面のいくつかの部分が、噴霧された着色料（たとえば、塗料）によって色付けされ、噴霧された着色料から離れる方向に面するかまたはそこから隠れた側壁１６０の表面の部分は変化しないままである。
同様に、図１７に示すように、側壁１６０に対し、（水平面に対して鋭角に噴霧することに加えてまたはその代わりに）垂直面に対して鋭角に噴霧して、陰影または２色調色付け効果をもたらすことができる。
さまざまな実施形態において、噴霧要素４００（またはスプレーガン）は、側壁１６０に対して任意の適切な角度で着色材（たとえば、塗料）４０５を向けることができ、この角度は、所望の視覚的特徴に応じて側壁１６０の長さにわたって一定のままであるかまたは変化する。
【００５５】
代替実施形態、および／または実施形態もしくは代替実施形態の構造で使用される材料は、本明細書に記載する他のすべての実施形態に適用可能であることが理解されるべきである。
【００５６】
本発明の趣旨または本質的な特徴から逸脱することなく、本発明を他の所定の形態で具現化することができる。したがって、上述した実施形態は、すべての点において、本明細書に記載した本発明を限定するのではなく例示するものとしてみなされるべきである。したがって、本発明の範囲は、上述した記載によるのではなく、添付の特許請求の範囲によって示され、特許請求の範囲の意味および均等の範囲内にあるすべての変更は、本発明の範囲内に包含されるように意図されている。
【図１Ａ】
2020124525.tif 000003
【図１Ｂ】
2020124525.tif 000004
【図１Ｃ】
2020124525.tif 000005
【図２Ａ】
2020124525.tif 000006
【図２Ｂ】
2020124525.tif 000007
【図２Ｃ】
2020124525.tif 000008
【図３Ａ】
2020124525.tif 000009
【図３Ｂ】
2020124525.tif 000010
【図３Ｃ】
2020124525.tif 000011
【図３Ｄ】
2020124525.tif 000012
【図４Ａ】
2020124525.tif 000013
【図４Ｂ】
2020124525.tif 000014
【図４Ｃ】
2020124525.tif 000015
【図５Ａ】
2020124525.tif 000016
【図５Ｂ】
2020124525.tif 000017
【図５Ｃ】
2020124525.tif 000018
【図６Ａ】
2020124525.tif 000019
【図６Ｂ】
2020124525.tif 000020
【図６Ｃ】
2020124525.tif 000021
【図６Ｄ】
2020124525.tif 000022
【図７Ａ】
2020124525.tif 000023
【図７Ｂ】
2020124525.tif 000024
【図７Ｃ】
2020124525.tif 000025
【図７Ｄ】
2020124525.tif 000026
【図７Ｅ】
2020124525.tif 000027
【図７Ｆ】
2020124525.tif 000028
【図８】
2020124525.tif 000029
【図９】
2020124525.tif 000030
【図１０Ａ】
2020124525.tif 000031
【図１０Ｂ】
2020124525.tif 000032
【図１０Ｃ】
2020124525.tif 000033
【図１０Ｄ】
2020124525.tif 000034
【図１１Ａ】
2020124525.tif 000035
【図１１Ｂ】
2020124525.tif 000036
【図１１Ｃ】
2020124525.tif 000037
【図１１Ｄ】
2020124525.tif 000038
【図１１Ｅ】
2020124525.tif 000039
【図１２Ａ】
2020124525.tif 000040
【図１２Ｂ】
2020124525.tif 000041
【図１２Ｃ】
2020124525.tif 000042
【図１２Ｄ】
2020124525.tif 000043
【図１２Ｅ】
2020124525.tif 000044
【図１２Ｆ】
2020124525.tif 000045
【図１２Ｇ】
2020124525.tif 000046
【図１３Ａ】
2020124525.tif 000047
【図１３Ｂ】
2020124525.tif 000048
【図１３Ｃ】
2020124525.tif 000049
【図１３Ｄ】
2020124525.tif 000050
【図１４Ａ】
2020124525.tif 000051
【図１４Ｂ】
2020124525.tif 000052
【図１４Ｃ】
2020124525.tif 000053
【図１４Ｄ】
2020124525.tif 000054
【図１４Ｅ】
2020124525.tif 000055
【図１４Ｆ】
2020124525.tif 000056
【図１４Ｇ】
2020124525.tif 000057
【図１４Ｈ】
2020124525.tif 000058
【図１５Ａ】
2020124525.tif 000059
【図１５Ｂ】
2020124525.tif 000060
【図１５Ｃ】
2020124525.tif 000061
【図１５Ｄ】
2020124525.tif 000062
【図１５Ｅ】
2020124525.tif 000063
【図１６】
2020124525.tif 000064
【図１７】
2020124525.tif 000065
【図１８】
2020124525.tif 000066
【図１９】
2020124525.tif 000067
【外国語明細書】
2020124525000001.pdf